(57)【要約】【課題】使用者の生体情報に応じて光照射部から光を集中的に照射することができ、ベッド装置で横たわれる使用者の起床、ベッド装置上における使用者の読書等に適するベッド装置を提供する。【解決手段】ベッド装置２００は、使用者が横たわる寝具１００を載せるベッド本体２０５と、光照射部５００と、ベッド本体２０５または寝具１００に設けられ使用者からの生体情報を検知する生体情報検知体６００と、生体情報検知体６００により検知された生体情報に応じて光を集中的に照射する制御手段とをもつ。【選択図】図１
2008295644.tif 000002
【特許請求の範囲】
【請求項１】
使用者が横たわる寝具を載せるベッド本体と、
前記ベッド本体および前記寝具のうちの少なくとも一方に設けられ前記使用者からの生体情報を検知する生体情報検知体と、
前記ベッド本体または室内に設けられ光を照射するための光照射部と、
前記生体情報検知体により検知された前記使用者の前記生体情報に基づいて、前記使用者に対して前記光照射部の光の照射を制御する制御手段とを具備していることを特徴とするベッド装置。
【請求項２】
請求項１において、前記制御手段は、
前記生体情報検知体により検知された前記使用者の前記生体情報に基づいて、前記ベッド本体上の前記使用者の頭部が位置する頭部推定領域を推定する使用者頭部領域推定手段と、
前記使用者頭部領域推定手段で推定される前記使用者の前記頭部推定領域に向けて光を前記光照射部から照射させる光照射制御手段とを具備することを特徴とするベッド装置。
【請求項３】
請求項１または２において、前記ベッド本体は、複数の前記使用者が横たわり可能な面積をもち、前記生体情報検知体は、前記ベッド本体上の複数の前記使用者毎に生体情報を検知することを特徴とするベッド装置。
【請求項４】
請求項１〜３のうちの一項において、単数または複数の前記使用者に応じた設定時刻を設定可能な時間設定部が設けられており、
前記制御手段は、前記設定時刻になったとき、該当する前記使用者に対して前記光照射部からの光を点灯または消灯させることを特徴とするベッド装置。
【請求項５】
請求項１〜４のうちの一項において、前記ベッド本体に横たわる前記使用者の生体情報に基づいて、前記使用者の横たわる姿勢に関する信号を予め登録する使用者姿勢登録部が設けられており、
前記制御手段は、前記ベッド本体に横たわる使用者について前記生体情報検知体で検知された生体信号と、前記登録部に予め登録されている前記使用者の横たわる姿勢に関する信号との比較に基づいて、前記使用者の頭部の領域を推定し、推定した頭部付近に光を照射させることを特徴とするベッド装置。
【発明の詳細な説明】
【技術分野】
【０００１】
本発明は、使用者が横たわるベッド装置に関する。
【背景技術】
【０００２】
特許文献１には、目覚まし時刻を設定する計時部と、計時部に設定された設定時刻になると、アラームを発音するアラーム制御部と、設定時刻前から室内照明を徐々に明るくする照明制御部とが開示されている。特許文献２には、ヘッドボードの内部に照明灯を配置し、ヘッドボードに形成した開口から照明灯の光をヘッドボードの外方に照射させる照明装置付きベッド装置が開示されていてる。特許文献３には、光量を変更できる照明装置と、この照明装置の光量を漸増させる信号発生部と、信号発生部と目覚まし音発生装置とを設定時刻に起動させるタイマ装置とを備える照明併用式目覚まし時計が開示されている。この照明併用式目覚まし時計はベッド装置付近に設けられている。
【特許文献１】特開２００３−２１５２７９号公報
【特許文献２】実開平６−６４５５７号公報
【特許文献３】実開平４−９６０９５号公報
【発明の開示】
【発明が解決しようとする課題】
【０００３】
上記した技術によれば、ベッド装置に横たわる使用者の生体情報に基づいて光を照射する方式ではない。
【０００４】
本発明は上記した実情に鑑みてなされたものであり、光照射部から照射される光を、使用者の生体情報に応じて制御することができるベッド装置を提供することを課題とする。
【課題を解決するための手段】
【０００５】
様相１に係るベッド装置は、使用者が横たわる寝具を載せるベッド本体と、
ベッド本体および寝具のうちの少なくとも一方に設けられ使用者からの生体情報を検知する生体情報検知体と、ベッド本体または室内に設けられ光を照射するための光照射部と、生体情報検知体により検知された使用者の生体情報に基づいて使用者に対して光照射部の光の照射を制御する制御手段とを具備していることを特徴とする。
【０００６】
本様相によれば、生体情報検知体は、ベッド本体および寝具のうちの少なくとも一方に設けられており、ベッド本体または寝具に横たわる使用者の生体からの生体情報を検知する。制御手段は、使用者の生体情報に基づいて使用者の位置を求める。制御手段により制御される光照射部は、使用者（特に頭部または頭部付近）に対して光を照射したり、光を非照射とする。光を照射する場合には、使用者の上半身、殊に、使用者の頭部または頭部付近（顔面付近）付近に向けて光を照射させることが好ましい。例えば、ベッド装置において就寝している使用者を光照射により覚醒させて起床させたり、使用者に読書に適する。起床させるときには、連続照射でも良いし、点滅照射でも良い。光照射部は、光の方向を使用者（殊に頭部付近）に向けて調整できることが好ましい。
【０００７】
上記した生体情報としては、ベッド上に横たわる心拍情報、呼吸情報、寝位置情報、体動情報、体重情報等のうちの少なくとも一つが例示される。心拍情報としては、単位時間あたりの心拍数、心拍波形、心拍周波数が例示される。呼吸情報としては、単位時間あたりの呼吸数、呼吸波形、呼吸周波数が例示される。体動情報としては、単位時間あたりの体動数、体動波形、体動周波数が例示される。
【０００８】
様相２に係るベッド装置によれば、上記様相において、制御手段は、生体情報検知体により検知された生体情報に基づいて、ベッド本体上の使用者の頭部が位置する頭部推定領域を推定する使用者頭部領域推定手段と、使用者頭部領域推定手段で推定される使用者の頭部推定領域に向けて光を光照射部から照射させる光照射制御手段とを備えることを特徴とする。この場合、使用者の頭部推定領域に向けて光を光照射部から照射するため、ベッド本体上の使用者の頭部付近に光を照射することができる。よって使用者を覚醒させて起床させたり、使用者の読書に適する。頭部は顔面も含む意味である。
【０００９】
様相３に係るベッド装置によれば、上記様相において、単数または複数の使用者に応じた設定時刻を設定可能な時間設定部が設けられており、制御手段は、設定時刻になったとき、該当する使用者に対して光照射部からの光を点灯または消灯させることを特徴とする。光を点灯させれば、ベッド上の使用者を覚醒させて起床させることができる。光を消灯させれば、ベッド上の使用者の睡眠に適する。この場合、時間設定部には単数または複数の使用者に応じた設定時刻を設定可能であるため、単数または複数の使用者に対処することができる。
【００１０】
様相４に係るベッド装置によれば、上記様相において、ベッド本体に横たわる使用者の生体情報に基づいて、使用者の横たわる姿勢に関する信号を予め登録する使用者姿勢登録部が設けられており、制御手段は、ベッド本体に横たわる使用者について生体情報検知体で検知された生体信号と、登録部に予め登録されている使用者の横たわる姿勢に関する信号との比較に基づいて、使用者の頭部の領域を推定し、推定した頭部付近に光を照射させることを特徴とする。この場合、使用者の頭部の領域が推定されるため、ベッド本体上の使用者の頭部付近に光を集中的に照射することができる。よって使用者を覚醒させて起床させたり、使用者の読書に適する。更に、他者に光が照射されることが抑制されるため、他者に不快感を与えることが抑制される。
【００１１】
本発明によれば、上記した生体情報検出体としては、生体からの圧力変動を検知する検知部と検知部を覆う弾性層とを備えている形態が例示される。この場合、検知部は弾性層で覆われているため、使用者が感じる違和感が軽減または解消される。検知部は有機材料を主要成分として形成されることが好ましい。検知部としては感圧センサが例示される。感圧センサとしては、圧電ポリマー等の圧電体、歪みゲージ、磁歪センサ、静電容量センサ、抵抗線、渦電流センサ等を例示できる。圧電体としてはポリビニリデンフロライド（ＰＶＤＦ）のフィルムを例示できる。検知部の数としては特に限定されるものではなく、１個でも、２個でも、３個でも、４個でも、６個でも、８個でも、それ以上でも良い。
【発明の効果】
【００１２】
本発明によれば、ベッド本体またはベッド本体上の寝具に設けられた生体情報検知体が、ベッド上の使用者の生体情報（例えば心拍情報、呼吸情報、寝位置、体動、体重等）を検知する。そして、使用者の生体情報に基づいて、光照射部からの光を使用者に対して制御する。制御手段により制御される光照射部は、使用者（例えば頭部または頭部付近）に対して光を照射したり、光を非照射とする。本発明によれば、ベッド装置で就寝している使用者の覚醒、ベッド装置上における使用者の読書等に適する。
【発明を実施するための最良の形態】
【００１３】
以下、図面を参照しつつ本発明の各実施形態を説明する。
【００１４】
（実施形態１）
図１〜図４は実施形態１を示す。図１（Ａ）（Ｂ）に示すように、ベッド装置２００は、使用者が横たわる寝具（敷寝具）としてのマットレス１００を載せる載置面２０６をもつベッド本体２０５と、ベッド本体２０５のマットレス１００の内部に埋設された生体情報検知体６００とを備えている。ベッド本体２０５は、使用者Ｍの頭側に位置するヘッドボードとも呼ばれるヘッド部２０３を備えている。図１（Ａ）（Ｂ）に示すように、ヘッド部２０３のうち、就寝する使用者Ｍの頭部ＭＣに対面する凹部２０４には、光照射部５００が設けられている。この場合、光が外方に飛散することが抑制される。光照射部５００は、光を照射する点灯および消灯機能を有する光照射部本体５０１と、光照射部本体５０１からの光の向きを変更するモータ機構などの駆動部５０２とで形成されている。光照射部本体５０１からの光の向きを変更することができるため、他者への光照射が防止され易い。但し、駆動部５０２を有しておらず、点灯および消灯機能を有するだけの方式でも良い。
【００１５】
マットレス１００は、弾性体ユニット３５０と、弾性体ユニット３５０を保持するベース３００とをもつ。生体情報検知体６００は、弾性体ユニット３５０とベース３００との間に配置されている。生体情報検知体６００は、生体からの圧力または圧力変動を受圧し、受圧に伴い使用者Ｍの生体情報を検知するものである。生体情報検知体６００は複数の検知部６１０をもつ。即ち、図１（Ａ）に示すように、検知部６１０は、ベッド装置２００の幅方向（矢印Ｘ方向）の中央において上向きに寝ている使用者Ｍの身長方向の上部側を検知する上側検知部６１１と、上向きに寝ている使用者Ｍの身長方向の中間側を検知する中間検知部６１２とを備えている。
【００１６】
図１（Ａ）に示すように、上側検知部６１１は、上向きに寝ている使用者Ｍに対して、左肩側の第１検知部６２１と、右肩側の第２検知部６２２と、第１検知部６２１と第２検知部６２２との間に配置された第３検知部６２３とをもつ。図１（Ａ）に示すように、中間検知部６１２は、上向きに寝ている使用者Ｍに対して、左腕側の第４検知部６２４と、右腕側の第５検知部６２５と、第４検知部６２４と第５検知部６２５との間に配置され使用者（矢印Ｘ方向の中央に位置する）の臍付近の下方に位置する第６検知部６２６とをもつ。ここで、左および右は、上向きに横たわる使用者の左腕側および右腕側を意味する。
【００１７】
各検知部６２１〜６２６は、マットレス１００に横たわる使用者Ｍからの圧力または圧力変動に基づいて生体情報（殊に心拍情報、呼吸情報、寝位置情報、体動情報）、殊に生体情報の振動を検知することができる。但し、各検知部６２１〜６２６が受信する信号の強度は、各検知部６２１〜６２６と使用者Ｍの心臓または肺臓等との距離に応じて異なる。ここで、呼吸信号の振幅は心拍信号の振幅よりも大きい。また呼吸信号の周波数は心拍信号の周波数よりも小さい。このため生体の呼吸信号と生体の心拍信号との識別は、容易である。
【００１８】
例えば、ベッド装置２００の幅方向（矢印Ｘ方向）に沿って配置されている検知部６２４，６２６，６２５のうち信号の強度が強いものを基準とすれば、ベッド装置２００の矢印Ｘ方向における上の使用者Ｍの位置が特定可能である。
【００１９】
図２は制御系のブロック図を示す。図２に示すように、制御装置８００（制御手段）は、入力処理回路８０１と、出力処理回路８０２と、タイマ機能を有するＣＰＵ８０３をもつ制御回路８０４と、ＲＡＭおよびＲＯＭからなる記憶要素８０５とを備えている。第１検知部６２１、第２検知部６２２、第３検知部６２３、第４検知部６２４、第５検知部６２５、第６検知部６２６の各検知信号は、入力処理回路８０１を介して制御回路８０４に入力される。使用者登録部８３０、モード設定部８３２、時間設定部８３４が設けられている。
【００２０】
使用者登録部８３０は、ベッド装置２００を使用する使用者Ｍの名前（または使用者Ｍの識別記号）およびその使用者Ｍの身長および体重を設定し、記憶要素８０５の所定のエリアに登録させるものである。モード設定部８３２の切替スイッチは、ベッド装置２００で就寝している使用者Ｍを覚醒させて起床させる覚醒モードと、読書時においてベッド装置２００に横たわる使用者Ｍの頭部推定領域ＭＡ付近を照射する読書モードとを切り替えできる。モード設定部８３２のモード切替信号は制御装置８００に入力される。時間設定部８３４は、使用者Ｍが起床する時間と、就寝する時間とを使用者ごとに個別に設定するものである。時間設定部８３４に設定される時刻は、制御装置８００に入力される。
【００２１】
まず、使用に際しては、姿勢登録モードを実施する。図３は姿勢登録モードの一例を示す。姿勢登録モードはこのフローチャートに限定されるものではない。先ず、図３に示すように、初期設定する（ステップＳ１０２）。次に、使用者Ｍの名前（使用者識別情報）を使用者登録部８３０から登録する指令を出力する（ステップＳ１０４）。更に、その使用者Ｍの身長および体重を登録する指令を出力する（ステップＳ１０６）。登録された情報は記憶要素８０５の所定のエリアに格納される。複数の使用者Ｍを個別に登録できるようになっている。
【００２２】
そして、平面視において、使用者Ｍがベッド本体２０５の中央において上向きに寝ている形態（ステップＳ１０８）について、複数の検知部６２１〜６２６で検知される使用者Ｍの生体情報（殊に心拍情報α、呼吸情報β）を検知し、制御装置８００に搭載されている記憶要素８０５の所定のエリアに生体情報を格納して登録する指令を出力する。具体的には、制御装置８００は、使用者Ｍをベッド本体２０５の中央において上向きに寝ている状態に使用者Ｍに指示する指令と、この状態で複数の検知部６２１〜６２６で生体情報を検知する指令と、複数の検知部６２１〜６２６で検知された検知信号を所定の信号処理した後に記憶要素８０５の所定のエリアに格納する指令とを出力する。
【００２３】
更に、使用者Ｍがベッド本体２０５の中央において右向きに寝ている形態（ステップＳ１１０）、使用者Ｍがベッド本体２０５の中央において左向きに寝ている形態（ステップＳ１１２）、使用者Ｍがベッド本体２０５の中央において下向きに寝ている形態（ステップＳ１１４）について、複数の検知部６２１〜６２６で検知される使用者Ｍの生体情報（殊に心拍情報α、呼吸情報β）を検知し、制御装置８００に搭載されている記憶要素８０５のエリアに生体情報を格納して登録する指令を出力する。なお、使用者が上向きに横たわっているときと、使用者が下向きに横たわっているときとでは、マットレス１００の表面と使用者Ｍの心臓との距離が異なるため、心拍の波形が異なり、両者の識別は可能となる。
【００２４】
上記した登録は、ベッド本体２０５の左部（使用者Ｍが上向きに寝たときの左腕側）おいて使用者Ｍが横たわっている形態についても、同様に実施する。即ち、平面視において、使用者Ｍがベッド本体２０５の左部において横たわっているとき、使用者Ｍが上向きに寝ている形態（ステップＳ１１６）、使用者Ｍが右向きに寝ている形態（ステップＳ１１８）、使用者Ｍが左向きに寝ている形態（ステップＳ１２０）、使用者Ｍが下向きに寝ている形態（ステップＳ１２２）について、複数の検知部６２１〜６２６で検知される使用者Ｍの生体情報（殊に心拍情報α、呼吸情報β）を、制御装置８００に搭載されている記憶要素８０５の所定のエリアに格納して登録する指令を出力する。
【００２５】
更に、上記した登録は、使用者Ｍがベッド本体２０５の右部（上向きに横たわっている使用者の右腕側）において横たわっている形態についても実施する。即ち、平面視において、使用者Ｍがベッド本体２０５の右部において横たわっているとき、使用者Ｍが上向きに寝ている形態（ステップＳ１２４）、使用者Ｍが右向きに寝ている形態（ステップＳ１２６）、使用者Ｍが左向きに寝ている形態（ステップＳ１２８）、使用者Ｍが下向きに寝ている形態（ステップＳ１３０）について、複数の検知部６２１〜６２６で検知される使用者Ｍの生体情報（殊に心拍情報α、呼吸情報β）を、制御装置８００に搭載されている記憶要素８０５のＲＡＭの所定のエリアに格納して登録する指令を出力する。更に制御装置８００は他の処理を実行（ステップＳ１３２）してからメインルーチンにリターンする。ベッド装置２００に就寝する使用者が複数の場合には、使用者毎に、姿勢登録モードを実施し、各使用者の姿勢を記憶要素８０５のエリアに予め格納しておくことができる。なお、図５は、使用者の識別、使用者の身長、体重と共に、使用者の姿勢情報を記憶要素８０５のエリアに予め格納している形態の一例を示す。使用者の姿勢情報は使用者の生体情報（殊に心拍情報α、呼吸情報β）等を含む。表５におけるα、βは各検知部６２１〜６２６が検知したそれぞれ具体的数値を意味する。
【００２６】
次に、ベッド装置２００において就寝している使用者Ｍを覚醒させて起床させる覚醒モードの一例について、図４を参照しつつ説明する。覚醒モードはこのフローチャートに限定されるものではない。使用者の起床時刻は、時間設定部８３４から予め設定されている。図４に示すように、制御装置８００は現在の時間を読み込む（ステップＳ２０２）。現在の時間が起床時刻が到達するまで待機する。現在の時間が起床時刻が到達していると（ステップＳ２０４のＹＥＳ）、各検知部６２１〜６２６で検知されている使用者Ｍの実際の生体情報（殊に心拍情報、呼吸情報）に係る各検知信号を、制御装置８００はリアルタイムで読み込む（ステップＳ２０６）。制御装置８００は、検知された信号に基づく使用者の姿勢形態が、姿勢登録モードにおいて登録された姿勢形態に最も近いものを選択し、それを使用者Ｍの姿勢と推定する（ステップＳ２０８）。更に、その姿勢形態における使用者Ｍの頭部推定領域ＭＡを推定する（ステップＳ２１０）。この場合、各検知部６２１〜６２６で検知された呼吸振動の信号のうち、強度が最も強い検知部の位置が使用者Ｍの腹部に相当すると推定し、腹部の位置を求める。そして制御装置８００は、該当する使用者Ｍの身長に基づいた数値（例えば身長の３０〜５０％の長さ）を考慮し、腹部推定位置から当該数値をヘッド部２０３側に向けて加算した位置を、使用者Ｍの頭部推定領域ＭＡとして演算で求める（ステップＳ２１０）。頭部推定領域ＭＡは、基本的には、使用者Ｍの頭部ＭＣの実際の位置またはその近傍に位置すると推定される。
【００２７】
上記したようにベッド装置２００において、使用者Ｍの頭部ＭＣが位置すると推定される頭部推定領域ＭＡが求められたら、制御装置８００は駆動部５０２を駆動し、頭部推定領域ＭＡに向けて光照射部５００の光照射部本体５０１を指向させる（ステップＳ２１２）。更に、制御装置８００は、光照射部５００の光照射部本体５０１をオンして点灯させ、光照射部５００の光照射部本体５０１から光をその頭部推定領域ＭＡに所定時間照射させる（ステップＳ２１４）。更に、光照射部５００の光照射部本体５０１からの光の光量を次第にアップさせ（ステップＳ２１６）、更に、光照射部５００の光照射部本体５０１からの光を所定時間点滅させ（ステップＳ２１８）、メインルーチンにリターンする。ステップＳ２１２〜ステップＳ２１８は、光照射制御手段として機能する。なお場合によっては、光量アップ、光点滅を実施しない場合でも良い。
【００２８】
上記したようにして使用者Ｍの頭部ＭＣ付近を集中的に光照射部５００により照射することができ、照射により使用者Ｍを覚醒させて起床させることができる。この場合、近くの他者に光が照射されることが抑制され、他者の睡眠等を妨げることが抑制される。この場合、光照射部５００を点滅させたり、時間経過につれて光照射部５００の光量を増加させれば、使用者Ｍの覚醒効果を更に高めることができる。
【００２９】
上記した形態は、就寝している使用者Ｍを覚醒させるときに適用しているが、モード設定部８３２における切替スイッチを読書モードに設定すれば、ベッド装置２００上に横たわる使用者Ｍの頭部推定領域ＭＡに光照射部５００から光を連続的に照射させることができるため、使用者Ｍの頭部ＭＣ付近を集中的に照明することができる。但し、読書モードでは、光を点滅させない方が好ましい。この場合にも、近くの他者に光が照射されることが抑制される。
【００３０】
（実施形態２）
図６は実施形態２を示す。本実施形態は実施形態１と基本的には同様の構成および作用効果を有する。ベッド装置２００に横たわる使用者Ｍを覚醒させて起床させる本実施形態に係る別の覚醒モードについて、図６を参照しつつ説明する。図６に示すように、制御装置８００は、各検知部６２１〜６２６で検知されている使用者Ｍの生体情報（殊に心拍情報α、呼吸情報β）に係る各検知信号を読み込む（ステップＳ３０２）。各検知信号に基づいて、使用者が覚醒して起床しているか、睡眠状態であるか否かを判定する（ステップＳ３０４）。使用者が覚醒しているときと、就寝しているときとでは、使用者Ｍの生体情報（殊に心拍情報α、呼吸情報β）がかなり異なるので、制御装置８００による識別は可能である。具体的には、心拍情報αについては、就寝しているときには心拍数が低く、周期的な変動であり、覚醒しているときには心拍数が高く、律動的に変動である。呼吸情報βについては、就寝しているときには呼吸が遅く、規則的な呼吸であり、呼吸数の変動は少なく、覚醒しているときには不規則な呼吸となる。
【００３１】
ステップＳ３０４の判定の結果、使用者が覚醒（起床）していなければ（ステップＳ３０４のＮＯ）、各検知部６２１〜６２６で検知されている使用者Ｍの生体情報（殊に心拍情報、呼吸情報）に係る各検知信号の読み込みを継続させる（ステップＳ３０２）。使用者が覚醒（起床）していれば（ステップＳ３０４のＹＥＳ）、制御装置８００は、検知された信号に基づく使用者の姿勢形態が、姿勢登録モードにおいて登録された姿勢形態に最も近いものを、使用者Ｍの現在姿勢と推定する（ステップＳ３０８）。更に、その姿勢形態における使用者Ｍの頭部推定領域ＭＡを推定する（ステップＳ３１０）。この場合、制御装置８００は、各検知部６２１〜６２６のうち、呼吸振動の信号の強度が最も強い検知部に使用者Ｍの腹部が該当していると推定する。そして、制御装置８００は、使用者Ｍの身長に基づいた数値（例えば身長の３０〜５０％の長さ）を考慮し、腹部から当該数値をヘッド部２０３側に加算した位置を求め、当該位置をマットレス１００における使用者Ｍの頭部推定領域ＭＡとして求める（ステップＳ３１０）。なお他の方式で使用者Ｍの頭部推定領域ＭＡを求めても良い。
【００３２】
上記したようにベッド装置２００において、使用者Ｍの頭部ＭＣが位置すると推定される頭部推定領域ＭＡが求められたら、制御装置８００は、駆動部５０２を制御し、駆動部頭部推定領域ＭＡに光照射部５００の光照射部本体５０１を指向させる（ステップＳ３１２）。更に、制御装置８００は、光照射部５００の光照射部本体５０１をオンとし、光照射部５００の光照射部５００から光をその頭部推定領域ＭＡに所定時間照射させる（ステップＳ３１４）。更に、光照射部５００の光照射部本体５０１からの光の光量を次第にアップさせ（ステップＳ３１６）、更に、光照射部５００の光照射部本体５０１からの光を点滅させ（ステップＳ３１８）、メインルーチンにリターンする。このようにして使用者Ｍの頭部ＭＣ付近を光照射部５００により照明することができ、照明により使用者Ｍの覚醒を促進させることができる。点滅させれば、使用者Ｍの覚醒を促進させることができる。
【００３３】
（実施形態３）
図７（Ａ）（Ｂ）は実施形態３を示す。本実施形態は実施形態１と基本的には同様の構成および作用効果を有する。本実施形態によれば、図７に示すように、ベッド装置２００のヘッド部２０３の凹部２０４のうち、幅方向（矢印Ｘ方向）の中央に光照射部５００が設けられている。光照射部５００は、光照射部本体５０１と、光照射部本体５０１の向きを変更するモータ機構などの駆動部５０２とで形成されている。本実施形態においても、現在の時間が起床時刻に接近または到達したら、各検知部６２１〜６２６で検知されている使用者Ｍの生体情報（殊に心拍情報、呼吸情報、寝位置情報、体動情報）に関する検知信号を、制御装置８００はリアルタイムで読み込む。制御装置８００は、検知信号に基づく形態が、姿勢登録モードにおいて登録された姿勢形態に最も近いものを、使用者Ｍの姿勢と推定する。更に、その姿勢形態における使用者Ｍの頭部推定領域ＭＡを推定する。そして制御装置８００は、駆動部５０２を駆動させ、その頭部推定領域ＭＡに光照射部５００の光照射部本体５０１を指向させる。光照射部５００の光照射部本体５０１から光をその頭部推定領域ＭＡに所定時間照射させれば、使用者Ｍの頭部ＭＣ付近を集中的に照明することができ、使用者Ｍを覚醒させて起床させることができる。
【００３４】
上記した形態は、就寝している使用者Ｍを覚醒させるときに適用している。使用者Ｍがモード設定部８３２における切替スイッチを読書モードに設定している場合には、ベッド２０２上に横たわる使用者Ｍの頭部推定領域ＭＡに光照射部５００から光を照射させることができるため、使用者Ｍの頭部ＭＣ付近を連続的に照明することができ、読書に適する。この場合、近傍の他者に光が照射されることが抑制され、他者に不快感を与えることが抑制される。
【００３５】
（実施形態４）
図８（Ａ）（Ｂ）は実施形態４を示す。本実施形態は実施形態１と基本的には同様の構成および作用効果を有する。本実施形態によれば、ベッド装置２００のヘッド部２０３のうち、これの幅方向（矢印Ｘ方向）に沿って光照射部５００が設けられている。光照射部５００は、ベッド装置２００の幅方向（矢印Ｘ方向）における左側（上向きに横たわれる使用者Ｍの左肩側）に配置された第１光照射部５２１と、ベッド装置２００の幅方向における右側（上向きに横たわれる使用者Ｍの右肩側）に配置された第２光照射部５２２と、第１光照射部５２１と第２光照射部５２２との間に配置された第３光照射部５２３とで形成されている。
【００３６】
図８（Ａ）に示すように、使用者Ｍの姿勢がベッド装置２００の幅方向（矢印Ｘ方向）の中央において横たわっていると、制御装置８００が判定すると、その使用者の位置に最も近い第３光照射部５２３を点灯させて、第３光照射部５２３からの光を使用者Ｍの頭部推定領域ＭＡに集中的に照射させる。図８（Ｂ）に示すように、使用者Ｍの姿勢がベッド装置２００の幅方向の左側（上向きに寝ている使用者の左腕側）において横たわっていると、制御装置８００が判定すると、その使用者の位置に最も近い第１光照射部５２１を点灯させて、第１光照射部５２１からの光を使用者Ｍの頭部推定領域ＭＡに集中的に照射させる。
【００３７】
（実施形態５）
図９および図１０は実施形態５を示す。本実施形態は実施形態１と基本的には同様の構成および作用効果を有する。本実施形態によれば、ベッド本体２０５は、複数（２名）の使用者を横たわらせることができるタイプであり、第１使用者Ｍ１が横たわる第１領域Ａと、第２使用者Ｍ２が横たわる第２領域Ｂとを備えている。光照射部５００は、第１領域Ａに第１使用者Ｍ１の頭部推定領域ＭＡに光を集中的に照射する第１光照射部５２１Ａと、第２領域Ｂの第２使用者Ｍ２の頭部推定領域ＭＡに光を集中的に照射する第２光照射部５２２Ｂとをもつ。第１光照射部５２１Ａは、矢印Ｘ方向に並設された第１照明部５２１ａ，５２１ｂをもつ。第２光照射部５２２Ｂは、矢印Ｘ方向に並設された第２照明部５２２ａ，５２２ｂをもつ。
【００３８】
図９に示すように、ベッド装置２００の第１領域Ａにおいて、生体情報検知体６００は、上向きに寝ている使用者Ｍの上部側を検知する上側検知部６１１と、上向きに寝ている使用者Ｍの中間側を検知する中間検知部６１２とを備えている。第１領域Ａにおいて、上側検知部６１１は、上向きに寝ている使用者Ｍ１に対して、左肩側の第１検知部６２１と、右肩側の第２検知部６２２と、第１検知部６２１と第２検知部６２２との間に配置された第３検知部６２３とをもつ。第１領域Ａにおいて、中間検知部６１２は、定位置で上向きに寝ている使用者Ｍ１に対して、左腕側の第４検知部６２４と、右腕側の第５検知部６２５と、第４検知部６２４と第５検知部６２５との間に配置された第６検知部６２６とをもつ。
【００３９】
図９に示すように、第２領域Ｂにおいて、生体情報検知体６００は、定位置で上向きに寝ている使用者Ｍ２の上部側を検知する上側検知部６１１と、定位置で上向きに寝ている使用者Ｍ２の下部側を検知する中間検知部６１２とを備えている。第２領域Ｂにおいて、上側検知部６１１は、上向きに寝ている使用者Ｍ２に対して、左肩側の第１検知部６２１と、右肩側の第２検知部６２２と、第１検知部６２１と第２検知部６２２との間に配置された第３検知部６２３とをもつ。第２領域Ｂにおいて、中間検知部６１２は、上向きに寝ている使用者Ｍ２に対して、左腕側の第４検知部６２４と、右腕側の第５検知部６２５と、第４検知部６２４と第５検知部６２５との間に配置された第６検知部６２６とをもつ。
【００４０】
ここで、使用者Ｍ１の起床時間と使用者Ｍ２の起床時間とは異なるため、使用者Ｍ１の起床時間と使用者Ｍ２の起床時間との双方が時間設定部８３４に個別に設定されている。使用者Ｍ１の起床時間に到達したら、制御装置８００は、起床すべき使用者Ｍ１に近い側の第１光照射部５２１Ａを作動させ、第１光照射部５２１Ａにより使用者Ｍ１の頭部推定領域ＭＡに光を集中的に照射する。また、使用者Ｍ２の起床時間に到達したら、制御装置８００は、起床すべき使用者Ｍ２に近い側の第２光照射部５２２Ｂを作動させ、第２光照射部５２２Ｂにより使用者Ｍ２の頭部推定領域ＭＡに光を集中的に照射する。これにより使用者Ｍ１および使用者Ｍ２を個別に覚醒させて起床させることができる。よって、隣で就寝している使用者に不快感を与えることが抑制されている。図１０に示すように、ベッド装置２００の領域Ａにおける使用者Ｍ１が横向きに寝ていたら、制御装置８００は、領域Ａに対応する第１光照射部５２１Ａを構成する第１照明部５２１ａ，５２１ｂのうち一方または双方を点灯させ、頭部推定領域ＭＡを集中的に照射する。この場合、覚醒効果を高めるためには、第１照明部５２１ａ，５２１ｂのうち、使用者Ｍ１の顔面に近いものを選択することが好ましい。
【００４１】
（実施形態６）
図１１および図１２は実施形態６を示す。本実施形態は実施形態５と基本的には同様の構成および作用効果を有する。本実施形態によれば、ベッド本体２０５は、複数（２名）の使用者Ｍ１，Ｍ２を横たわらせることができるダブルタイプであり、第１使用者Ｍ１が横たわる第１領域Ａと、第２使用者Ｍ２が横たわる第２領域Ｂとを備えている。図１１に示すように、光照射部５００は、第１領域Ａの第１使用者Ｍ１の頭部推定領域ＭＡに光を集中的に照射する第１光照射部５２１Ａと、第２領域Ｂの第２使用者Ｍ２の頭部推定領域ＭＡに光を集中的に照射する第２光照射部５２２Ｂとをもつ。図１１に示すように、第１光照射部５２１Ａと第２光照射部５２２Ｂとの間には、つまり、第１領域Ａと第２領域Ｂとの間には固定式の仕切部材９００が設けられている。
【００４２】
仕切部材９００の遮光作用により、第１領域Ａにおける第１光照射部５２１Ａが点灯したとしても、第１光照射部５２１Ａの光は第２領域Ｂに向かうことが制限される。同様に、第２領域Ｂにおける第２光照射部５２２Ｂが点灯したとしても、第２光照射部５２２Ｂの光は第１領域Ａに向かうことが制限される。従って、隣で寝ている者に影響を与えにくい。図１２に示すように、第１使用者Ｍ１が左向きに寝ているときには、これを検知した制御装置８００は、第１使用者Ｍ１の起床時刻が到達したら、第１光照射部５２１Ａを制御し、第１使用者Ｍ１の頭部推定領域ＭＡに光を集中的に照射して覚醒させる。この場合、仕切部材９００の遮光作用により、隣の第２使用者Ｍ２に光が照射することが抑制されるため、隣の第２使用者Ｍ２を覚醒させることが抑制される。
【００４３】
（実施形態７）
図１３および図１４は実施形態７を示す。本実施形態は実施形態１と基本的には同様の構成および作用効果を有する。本実施形態によれば、ベッド本体２０５は、複数（２名）の第１使用者Ｍ１および第２使用者Ｍ２を併せて横たわらせることができるツインベッドタイプであり、第１使用者Ｍ１が横たわる第１領域Ａと、第２使用者Ｍ２が横たわる第２領域Ｂとを備えている。図１３および図１４に示すように、光照射部５００は、第１領域Ａの第１使用者Ｍ１の頭部推定領域ＭＡに光を集中的に照射する第１光照射部５２１Ａと、第２領域Ｂの第２使用者Ｍ２の頭部推定領域ＭＡに光を集中的に照射する第２光照射部５２２Ｂとをもつ。図１３および図１４に示すように、第１光照射部５２１Ａは、矢印Ｘ方向において並設された第１照明部５２１ａ，５２１ｂ，５２１ｃをもつ。第２光照射部５２２Ｂは、矢印Ｘ方向において並設された第２照明部５２２ａ，５２２ｂ，５２２ｃをもつ。
【００４４】
第１光照射部５２１Ａと第２光照射部５２２Ｂとの間には、板部材またはカーテンなどで形成された可動式の仕切部材９００Ｂが設けられている。仕切部材９００Ｂは、モータ等の駆動源９０３で遮光方向（矢印Ｙ３方向）および解除方向（矢印Ｙ４方向）に移動する。第１光照射部５２１Ａと第２光照射部５２２Ｂとのうちいずれか一方のみが点灯するときには、駆動源９０３が駆動して仕切部材９００Ｂを遮光方向（図１４に示す矢印Ｙ３方向）に移動させる。点灯が終了すると、駆動源９０３が逆方向に駆動して仕切部材９００Ｂを遮光解除方向（矢印Ｙ４方向）に移動させて原位置に帰還させるため、仕切部材９００Ｂが邪魔になることが回避される。上記したように仕切部材９００Ｂを遮光方向（矢印Ｙ３方向）に移動させれば、第１領域Ａにおける第１光照射部５２１Ａが点灯したとしても、仕切部材９００Ｂの遮光作用により、第１光照射部５２１Ａの光は第２領域Ｂに向かうことが制限される。同様に、第２領域Ｂにおける第２光照射部５２２Ｂが点灯したとしても、第２光照射部５２２Ｂの光は第１領域Ａに向かうことが制限される。故に、隣で就寝している使用者を覚醒させることが抑制される。
【００４５】
（実施形態８）
図１５は実施形態８を示す。本実施形態は実施形態１と基本的には同様の構成および作用効果を有する。本実施形態によれば、光照射部５００は、ベッド装置２００の幅方向（矢印Ｘ方向）における左側（上向きに横たわる使用者の左肩側）に配置された第１光照射部５２１と、ベッド装置２００のヘッド部２０３の幅方向における右側（上向きに横たわれる使用者の右肩側）に配置された第２光照射部５２２と、第１光照射部５２１と第２光照射部５２２との間に配置された第３光照射部５２３とで形成されている。ベッド装置２００の中央側に就寝している使用者を覚醒させるときには、その使用者に最も近い第３光照射部５２３をオンする。ベッド装置２００の左側に就寝している使用者を覚醒させるときには、その使用者に最も近い第１光照射部５２１をオンする。ベッド装置２００の右側に就寝している使用者を覚醒させるときには、その使用者に最も近い第２光照射部５２２をオンする。
【００４６】
（実施形態９）
図１６は実施形態９を示す。本実施形態は実施形態１と基本的には同様の構成および作用効果を有する。本実施形態によれば、光照射部５００は、ベッド装置２００のヘッド部２０３の幅方向（矢印Ｘ方向）における左側（上向きに横たわれる使用者Ｍの左肩側）に配置された第１光照射部５２１と、ベッド装置２００の幅方向における右側（上向きに横たわれる使用者Ｍの右肩側）に配置された第２光照射部５２２と、第１光照射部５２１と第２光照射部５２２との間に配置された第３光照射部５２３および第４光照射部５２４とで形成されている。ベッド装置２００の中央側に就寝している使用者を覚醒させるときには、第３光照射部５２３および／または第４光照射部５２４をオンする。ベッド装置２００の左側に就寝している使用者を覚醒させるときには、第１光照射部５２１をオンする。ベッド装置２００の右側に就寝している使用者を覚醒させるときには、第２光照射部５２２をオンする。
【００４７】
（実施形態１０）
図１７は実施形態１０を示す。本実施形態は実施形態１と基本的には同様の構成および作用効果を有する。本実施形態によれば、光照射部５００は、ベッド装置２００のヘッド部２０３において、幅方向（矢印Ｘ方向）における左側（上向きに横たわれる使用者Ｍの左肩側）に配置された第１光照射部５２１と、幅方向における右側（上向きに横たわれる使用者Ｍの右肩側）に配置された第２光照射部５２２と、第１光照射部５２１と第２光照射部５２２との間に配置された第３光照射部５２３および第４光照射部５２４とで形成されている。図１７に示すように、第３光照射部５２３と第４光照射部５２４との間には、可動式の仕切部材９００が配置されている。第１使用者Ｍ１および第２使用者Ｍ２のうちのいずれかを光照射で覚醒させるときには、前述同様に仕切部材９００を遮光方向に向けて移動させて遮光させ、他者に光が照射されないようにする。光照射が終了すれば、仕切部材９００を非遮光方向に向けて原位置に帰還させるため、邪魔にならない。
【００４８】
（実施形態１１）
図１８は実施形態１１を示す。本実施形態は実施形態１と基本的には同様の構成および作用効果を有する。本実施形態によれば、光照射部５００はヘッド部２０３に配置されており、第１領域Ａにおける第１使用者Ｍ１の頭部推定領域に光を集中的に照射する第１光照射部５２１Ａと、第２領域Ｂにおける第２使用者Ｍ２の頭部推定領域に光を集中的に照射する第２光照射部５２２Ｂとをもつ。図１８に示すように、第１光照射部５２１Ａは、複数の第１照明部５２１Ｘ，５２１ｆ，５２１ｇ，５２１ｈ，５２１ｉ，５２１ｋをもつ。第２光照射部５２２Ｂは、複数の第２照明部５２２ｍ，５２２ｎ，５２２ｐ，５２２ｑ，５２２ｒ，５２２ｓをもつ。図１８に示すように、第１光照射部５２１Ａと第２光照射部５２２Ｂとの間には、可動式の仕切部材９００が配置されている。第１使用者Ｍ１および第２使用者Ｍ２のうちのいずれかを光照射で覚醒させるときには、前述同様に、仕切部材９００を遮光方向に向けて移動させて遮光させる。光照射が終了すれば、仕切部材９００を非遮光方向に向けて原位置に帰還させる。
【００４９】
（実施形態１２）
図１９は実施形態１２を示す。本実施形態は実施形態１と基本的には同様の構成および作用効果を有する。本実施形態によれば、図１９および図２０に示すように、生体情報検出体として機能するセンサユニット１は、使用者からの圧力を受ける側の基部７００（例えばベッドまたは寝具）の上に配置されるものである。このセンサユニット１はこれの長手方向に沿って延設された薄肉の帯状をなしている。センサユニット１は、使用者Ｍから受ける圧力（荷重）の変動を検知する感圧センサで形成された検知部２と、検知部２の上面および下面を覆う帯シート状をなすクッション性をもつ弾性層３とを備えている。図１９に示すように、弾性層３の幅寸法ＬＡは、検知部２の幅寸法ＬＢよりも大きくされている（ＬＡ＞ＬＢ）。検知部２は、受圧した圧力を電気信号として出力するものであり、面状シートの形状をなしており、圧電ポリマーを例示でき、殊にポリビニリデンフロライド（ＰＶＤＦ）のフィルムまたはシートとされており、伸縮可能とされている。圧電ポリマーは広い周波数特性を有しており、更に、圧電セラミックスに比較して、柔軟性、耐衝撃性、耐高電圧性、耐水性、化学的安定性を備えている。
【００５０】
図１９に示すように、２つの弾性層３は、２つの弾性層３間に位置する高分子系の接着剤層４で接着されている。この結果、下側の弾性層３、検知部２、上側の弾性層３からなるセンサ積層体５が形成されている。センサ積層体５の上面、下面及び側面は、外表皮６（例えば布地）で覆われている。図１９に示すように、外表皮６は、外方に向く舌片状の融着部６ａをもつ第１外表皮６ｕと、外方に向く舌片状の融着部６ａをもつ第２外表皮６ｄとからなり、融着部６ａ同士を接合して形成されている。外表皮６の下面側には保持部材７が設けられている。図２に示すように、保持部材７はセンサユニット１の長手方向（矢印Ｌ方向）の端部１ｅ側に配置されている。保持部材７は、シート状をなす面ファスナー（マジックテープとも呼ばれる）とされている。保持部材７としては、面ファスナーに代えて、剥離可能で且つ再接合可能な両面テープとしても良い。あるいは、ホック等の凹凸係合を有する構造でも良い。検知部２はこれの厚み方向において２つの弾性層３で挟持されている。各弾性層３および接着剤層４は、高分子材料（例えばウレタンゴム、布地、多孔質シート等）で形成されており、長さ方向（矢印Ｌ方向）および幅方向に沿って伸縮可能とされている。
【００５１】
センサユニット１が使用者の身体による圧力（荷重）変動を受圧できるように、使用者の腹部または腰部に対向する領域に配置されている場合には、使用者の生体情報のうち、主として呼吸情報（例えば、単位時間あたりの呼吸数、単位時間あたりのいびきの数、いびきの振幅等）を良好に検出することができる。センサユニット１が使用者の胸部に対向する領域に配置されている場合には、使用者の生体情報のうち、主として心臓の心拍情報（例えば、単位時間あたりの心拍数等）を良好に検出することができる。なお、呼吸情報の周波数は心拍情報の周波数よりも相対的に低い。且つ、心拍情報の周波数は呼吸情報の周波数よりも相対的に低い。このため呼吸情報の信号と心拍情報の信号とが発生しても、両者の識別は可能である。
【００５２】
図２０に示すように、１つのセンサユニット１あたり、検知部２は間隔（均等間隔）を隔てて直列に複数個（３個）配置されている。即ち、１つのセンサユニット１あたり、その長さ方向（矢印Ｌ方向）において、第１検知部２ｆ、第２検知部２ｓおよび第３検知部２ｔが間隔を隔てて直列に配置されている。このため使用者がセンサユニット１の長手方向（矢印Ｌ方向）に移動したとしても、使用者の生体情報（例えば呼吸、心拍）の検出精度を高めることができる。なお、図１７において、第１検知部２ｆと第２検知部２ｓとの間隔はＬ１として示す。第２検知部２ｓと第３検知部２ｔとの間隔はＬ２として示す。Ｌ１は例えば１００〜２５０ミリメートルにできる。Ｌ２は例えば１００〜２５０ミリメートルにできる。但しこれに限定されるものではない。
【００５３】
上記したように本実施形態によれば、図２０に示すように、センサユニット１には、第１検知部２ｆ、第２検知部２ｓおよび第３検知部２ｔが間隔を隔てて直列に配置されている。このように一つのセンサユニット１の内部には複数個（合計３個）の検知部２（２ｆ，２ｓ，２ｔ）が埋設されているため、使用者の体動等に起因して使用者の横たわる姿勢（就寝中の姿勢，寝位置）が変化したとしても、その体動による姿勢の変化を良好に検出することができる。なお、一つのセンサユニット１に装備する検知部２の数としては３個に限定されず、２個でも、４個でも、それ以上でも良く、複数個であれば良い。
【００５４】
本実施形態によれば、図２０に示すように、信号処理部８０にセンサユニット１の検知部２を電気的に繋ぐと共に可撓性をもつ連結線９が、センサユニット１の長手方向の端部１ｅから外方に導出されている。連結線９は、結束機能および電気接続機能を有するコネクタ９０をもつ。信号処理部８０は生体情報算出部８２に電気的に接続されている。信号処理部８０で処理された電気信号は、生体情報算出部８２において生体情報（例えば呼吸数、心拍数）として算出される。このように可撓性をもつ連結線９が設けられているため、センサユニット１の検知部２を信号処理部８０に繋いだまま、使用者の体型、体重、身長、人数等に応じて、センサユニット１の相対位置を調整することが可能となる。このため生体情報の検出精度を一層高めることができる。
【００５５】
また、センサユニット１が基部７００に固定されていない状態では、センサユニット１は互いに移動可能とされている。センサユニット１を保持するための基部７００においても、保持部材７Ｂ（図１９参照）が設けられている。基部７００の保持部材７Ｂは、センサユニット１の保持部材７と脱離可能に接合するものである。保持部材７Ｂは、シート状をなす面ファスナー（マジックテープとも呼ばれる）とされている。従って、センサユニット１を任意の位置に保持することができる。その任意の位置において、生体情報を検出することができる。
【００５６】
本実施形態によれば、検知部２，各弾性層３および接着剤層４は、それぞれ、高分子材料（例えばウレタンゴム、布地、多孔質シート等）で形成されており、長さ方向および幅方向に沿って伸縮可能とされている。また図２０に示すように、連結線９の内部には、検知部２ｆ，２ｓ，２ｔからそれぞれ導出される信号線２ｒが設けられている。図２０に示すように、各信号線２ｒは、検知部２ｆ，２ｓ，２ｔからそれぞれ離間して配置されている。検知部２ｆ，２ｓ，２ｔの変形の影響を回避するため、ノイズ低減のためである。従って図２０に示すように、検知部２ｆに繋がる信号線２ｒは、検知部２ｓから距離ΔＬＳ離間している。検知部２ｔに繋がる信号線２ｒは、検知部２ｔから距離ΔＬＴ１，ΔＬＴ２離間している。弾性層３および接着層４の伸張に対応できるように、各信号線２ｒは、伸長可能となるように余裕の長さを有しており、且つ、センサユニット１の伸張に耐え得るように複数の曲成部２ｘを有する。即ち、検知部２から導出される信号線２ｒは伸張可能な配線構造とされており、センサユニット１の伸張および収縮に対処できる構造とされている。従って、センサユニット１が長手方向に沿って伸張したとしても、信号線２ｒの断線は抑制される。
【００５７】
上記したような本実施形態によれば、センサユニット１をその伸張位置で基部７００に容易に保持することができる。即ち、上記した高分子系の検知部２（２ｆ，２ｓ，２ｔ）、高分子系の弾性層３、および、センサユニット１に埋設されている信号線２ｒは、伸縮可能および可撓性をもつ。このためセンサユニット１は、センサユニット１はこれの長さＬＢを調整できるように長手方向に沿って伸縮可能とされている。このため、使用者の体型、体重、身長、人数等に応じて、センサユニット１をこれの長手方向（矢印Ｌ方向）に沿って伸張させ、その状態で、センサユニット１の保持部材７と基部７００の保持部材７Ｂとを互いに接合して基部７００に固定すれば、センサユニット１をその伸張位置で基部７００に着脱可能に保持することができる。
【００５８】
この場合、センサユニット１の保持部材７と基部７００の保持部材７Ｂとが剥離可能および接合可能であれば、センサユニット１を伸張した状態で、センサユニット１を基部７００に保持することができる。更に複数の検知部２（２ｆ，２ｓ，２ｔ）はセンサユニット１の長手方向（矢印Ｌ方向）に沿って間隔を隔てて配置されているため、複数の検知部２（２ｆ，２ｓ，２ｔ）を直線状に配置させることが可能となる。よって使用者が移動したとしても、生体情報を検出することができる。なお、検知部２（２ｆ，２ｓ，２ｔ）がＰＶＤＦ等の圧電ポリマーで形成されている場合には、厚み方向の感度を高めたり、長さ方向の感度を高めたりするように調整できる。故に、検知部２が使用者の心臓の心拍を検出することを主眼とする場合には、厚み方向の感度を高めた圧電ポリマーを採用することが好ましい。検知部２が使用者の呼吸を検出することを主眼とする場合には、長さ方向の感度を高めた圧電ポリマーを採用することが好ましい。
【００５９】
（実施形態１３）
図２１および図２２は実施形態１３を示す。本実施形態は実施形態１と基本的には同様の構成、同様の作用効果を有する。図２１および図２２に示すように、生体情報検出体１Ａは、第１センサユニット１ｆと、第２センサユニット１ｓとを有する。即ち、上記したように複数個（２個）のセンサユニット１ｆ，１ｓが設けられている。第１センサユニット１ｆ、第２センサユニット１ｓは、実施形態１に係るセンサユニット１の同じタイプであり、同一の断面構造をもつ。センサユニット１ｆ，１ｓは、互いに、同じサイズおよび同じ断面構造とされている。
【００６０】
上記したように同じ種類のセンサユニット１ｆ，１ｓが複数個（２個）設けられているため、使用者の体型、体重、身長、人数等に応じて、第１センサユニット１ｆ，第２センサユニット１ｓが配置される位置を調整することができる。このようにすれば、生体情報（例えば呼吸、心拍、体動）の検出精度を高めることができる利点が得られる。即ち、センサユニット１ｆ，１ｓが使用者の身体による圧力を受圧できるように、使用者の腹部または腰部に対向する領域に配置されている場合には、使用者の生体情報のうち、主として呼吸情報（例えば、単位時間あたりの呼吸数等）、使用者の体動情報（例えば単位時間あたりの寝返り回数、寝返り頻度等の寝返り情報）を良好に検出することができる。生体情報検出体１Ａが使用者の胸部に対向する領域に配置されている場合には、使用者の生体情報のうち、主として心臓の心拍情報（例えば、単位時間あたりの心拍数等）を良好に検出することができる。連結線９は可撓性を有しており、曲成可能であるため、隣設するセンサユニット１ｆ，１ｓ間の間隔距離ＬＥ（図２１参照）、および、隣設するセンサユニット１ｆ，１ｓ間の角度θ（図２２参照）は、適宜調整可能とされている。従って、使用者（生体）の体型、体重、身長、人数等に応じて、第１センサユニット１ｆおよび第２センサユニット１ｓが配置される位置を調整すれば、使用者（生体）の生体情報の検出精度を高めることができる利点が得られる。
【００６１】
（実施形態１４）
図２３（Ａ）（Ｂ）は実施形態１４を示す。本実施形態は実施形態１と基本的には同様の構成、同様の作用効果を有する。本実施形態は実施形態１と基本的には同様の構成、同様の作用効果を有する。図２３（Ａ）（Ｂ）に示すように、ベッド装置２００は、水平方向に沿った床板２０１をもつベッド２０２と、ベッド２０２の床板２０１に載せられた寝具（敷寝具）としてのマットレス１００とをもつ。ベッド２０２は使用者の頭側のヘッド部２０３をもつ。マットレス１００は、クッションを有する厚肉のベース３００と、ベース３００の上面の凹状部３０１に保持された弾性体ユニット３５０と、弾性体ユニット３５０およびベース３００を覆うマット表皮３５９とで形成されている。マット表皮３５９は、面ファスナー、接着テープ等によりベース３００に対して離脱可能に取り付けられる。
【００６２】
図２３（Ｂ）に示すように、弾性体ユニット３５０は、下層シート３５１と、下層シート３５１上に互いに間隔を隔てて配置され互いに独立して変形可能な複数個の柱状弾性体３５２と、複数の柱状弾性体３５２間の隙間を埋める埋設部材３５５とをもつ。埋設部材３５５は、柱状弾性体３５２の倒れ込みを抑制する機能を果たす。柱状弾性体３５２は縦方向にのびる軸線をもつ。柱状弾性体３５２高さ位置は、埋設部材３５５の高さ位置よりも高い。図２３（Ａ）に示すように、生体情報検出体１Ａは、第１センサユニット１ｆと第２センサユニット１ｓと連結線９とを備えている。第１センサユニット１ｆは、横たわる使用者の胸側の下方に位置するように、柱状弾性体３５２の下方側において下層シート３５１の下面とベース３００の上面との間に設置されている。第２センサユニット１ｓは使用者の腹側の下方に位置するように、柱状弾性体３５２の下方側において下層シート３５１の下面３５１ｄとベース３００の上面３００ｕとの間に設置されている。センサユニット１ｆ，１ｓは弾性体ユニット３５０の下面側に配置されているため、センサユニット１ｆ，１ｓの上方には、弾性に富む弾性体ユニット３５０が配置されている。このため使用者がマットレス１００に横たわるとき、センサユニット１ｆ，１ｓに起因する抵抗感が低減される。よって、使用者に違和感を与えることが抑制され、使用者の寝心地感が良好となる。なお柱状弾性体３５２は多孔質体でも良いし、非多孔質体でも良い。
【００６３】
上記した柱状弾性体３５２はエラストマー（例えばオイル含有エラストマー）を基材としており、使用者の心拍振動、呼吸振動、体動等といった生体振動（生体情報の振動）の伝達性を高めることができる。このため、センサユニット１ｆ，１ｓが柱状弾性体３５２の下側に配置されていたとしても、使用者の生体情報を検出する検出性を向上させることができる。本実施形態によれば、マット表皮３５９を外した状態で、弾性体ユニット３５０はベース３００から離脱可能である。このため弾性体ユニット３５０をベース３００から離脱させれば、センサユニット１ｆ，１ｓを取り出して、センサユニット１の配置位置を調整することができる。センサユニット１ｆ，１ｓの配置位置を調整した後、弾性体ユニット３５０をベース３００に取り付け、マット表皮３５９で覆えば良い。よって、使用者の体型、体重、身長、人数等に応じて、センサユニット１ｆ，１ｓが配置される位置を使用者は調整することができ、生体情報の検出精度を高めることができる利点が得られる。なお、マット表皮３５９を容易には外せない構造とすることもできる。
【００６４】
（その他）
光照射部５００はベッド装置２００のヘッド部２０３に設けられているが、室内に設けられていても良い。本発明は上記し且つ図面に示した実施形態のみに限定されるものではなく、要旨を逸脱しない範囲内で適宜変更して実施できる。
【産業上の利用可能性】
【００６５】
本発明は就寝用のベッド装置に利用できる。
【図面の簡単な説明】
【００６６】
【図１】（Ａ）は検知部を装備したベッド装置の平面を示す概念図であり、（Ｂ）は検知部を装備したベッド装置の断面を示す概念図である。
【図２】制御装置に関するブロック図である。
【図３】制御装置が実行する姿勢登録モードを示すフローチャートである。
【図４】制御装置が実行する覚醒モードを示すフローチャートである。
【図５】制御装置に搭載されている記憶要素の内容を示す図である。
【図６】実施形態２に係り、制御装置が実行する覚醒モードを示すフローチャートである。
【図７】実施形態３を係り、（Ａ）は使用者がベッド装置の中央で横たわっている状態の平面を示す概念図であり、（Ｂ）は使用者がベッド装置の片側で横たわっている状態の平面を示す概念図である。
【図８】実施形態４を係り、（Ａ）は使用者がベッド装置の中央で横たわっている状態の平面を示す概念図であり、（Ｂ）は使用者がベッド装置の片側で横たわっている状態の平面を示す概念図である。
【図９】実施形態５を係り、複数の使用者がダブルタイプのベッド装置で横たわっている状態の平面を示す概念図である。
【図１０】実施形態５を係り、複数の使用者がダブルタイプのベッド装置で横たわっている状態の平面を示す概念図である。
【図１１】実施形態６を係り、複数の使用者がダブルタイプのベッド装置で横たわっている状態の平面を示す概念図である。
【図１２】実施形態６を係り、複数の使用者がダブルタイプのベッド装置で横たわっている状態の平面を示す概念図である。
【図１３】実施形態７を係り、複数の使用者がツインタイプのベッド装置で横たわっている状態の平面を示す概念図である。
【図１４】実施形態７を係り、複数の使用者がツインタイプのベッド装置で横たわっている状態の平面を示す概念図である。
【図１５】実施形態８を係り、ベッド装置のヘッド部に装備されている光照射部を示す概念図である。
【図１６】実施形態９を係り、ベッド装置のヘッド部に装備されている光照射部を示す概念図である。
【図１７】実施形態１０に係り、ベッド装置のヘッド部に装備されている光照射部を示す概念図である。
【図１８】実施形態１１に係り、ベッド装置のヘッド部に装備されている光照射部を示す概念図である。
【図１９】実施形態１２に係り、センサユニットの内部構造を示す概念図である。
【図２０】実施形態１２に係り、センサユニットの内部構造を示す概念図である。
【図２１】実施形態１３に係り、センサユニットの内部構造を示す概念図である。
【図２２】実施形態１３に係り、センサユニットの内部構造を示す概念図である。
【図２３】実施形態１４に係り、（Ａ）はセンサユニットを配置したマットレス（マット表皮を外した状態）の平面を示す概念図であり、（Ｂ）はセンサユニットを配置したマットレス（マット表皮を外した状態）の断面を示す概念図である。
【符号の説明】
【００６７】
図中、２００はベッド装置、２０２はベッド、１００はマットレス（寝具）、２０３はヘッド部、３５０は弾性体ユニット、５００は光照射部、６００は生体情報検知体、６１０は検知部、６２１は第１検知部、６２２は第２検知部、６２３は第３検知部、６２４は第４検知部、６２５は第５検知部、６２６は第６検知部、８００は制御装置、８０５は記憶要素を示す。
【図１】
2008295644.tif 000003
【図２】
2008295644.tif 000004
【図３】
2008295644.tif 000005
【図４】
2008295644.tif 000006
【図５】
2008295644.tif 000007
【図６】
2008295644.tif 000008
【図７】
2008295644.tif 000009
【図８】
2008295644.tif 000010
【図９】
2008295644.tif 000011
【図１０】
2008295644.tif 000012
【図１１】
2008295644.tif 000013
【図１２】
2008295644.tif 000014
【図１３】
2008295644.tif 000015
【図１４】
2008295644.tif 000016
【図１５】
2008295644.tif 000017
【図１６】
2008295644.tif 000018
【図１７】
2008295644.tif 000019
【図１８】
2008295644.tif 000020
【図１９】
2008295644.tif 000021
【図２０】
2008295644.tif 000022
【図２１】
2008295644.tif 000023
【図２２】
2008295644.tif 000024
【図２３】
2008295644.tif 000025